(57)【要約】【課題】形状及び重量を小さくできるバネ受けブロックひいては椅子を提供する。【解決手段】脚で支持されたベースと、前記ベースの上方に配置されると共にコイルばね３０に抗して後傾動又は後退動若しくは両方の動きを行い得る座部と、前記座部の後方に配置した背もたれとを備えた椅子であって、コイルばね３０の少なくとも一端とベースに配置された第１軸９との間に介挿するバネ受けブロック３６には、第１軸９に形成されて、この軸の直径より短い寸法の装着凹所４０に外嵌して第１軸９の軸線方向への位置ずれを防止する位置決め係合部３９が備えられている。円パイプで構成した第１軸９の筒壁部に円周方向の一対の切込４１を半径方向に相対向させ、且つ第１軸９の軸線方向に所定寸法だけ隔て形成し、この一対の切込の間の筒壁部を一対の平行面４２に形成することにより前記装着凹所４０が構成されている。【選択図】図１０
2013106699.tif 000002
【特許請求の範囲】
【請求項１】
脚で支持されたベースと、前記ベースの上方に配置されると共にばね手段に抗して後傾動又は後退動若しくは両方の動きを行い得る座部と、前記座部の後方に配置した背もたれとを備えた椅子であって、
前記ばね手段の少なくとも一端と前記ベースに配置された軸との間に介挿するバネ受けブロックには、前記軸に形成されて、この軸の直径より短い寸法の装着凹所に外嵌して前記軸の軸線方向への位置ずれを防止する位置決め係合部が備えられている、椅子。
【請求項２】
前記座部を第１軸で前記ベースの前部寄り部位に連結すると共に、座部のうち第１軸よりも後方の部位を前記ベース又は他の部材に連結し、
前記背もたれは、前記ベースに後傾動自在に第２軸で連結された背フレームに取り付けられており、前記背フレームの前後中途部と前記座部とを第３軸で連結しており、更に、前記第１軸はベースに嵌まっている穴を長穴とすることにより、前記背もたれと前記座部とが連動することを許容し、
前記バネ受けブロックは前記ばね手段と前記第１軸との間に介挿する、請求項１に記載した椅子。
【請求項３】
前記軸または前記第１軸は金属製の円パイプであり、前記円パイプの筒壁部に円周方向の一対の切込を半径方向に相対向させ、且つ前記軸または前記第１軸の軸線方向に所定寸法だけ隔て形成し、この一対の切込の間の筒壁部を一対の平行面に形成することにより前記装着凹所が構成されている、請求項１または２に記載した椅子。
【請求項４】
前記バネ受けブロックには前記位置決め係合部を前記軸または前記第１軸の軸線方向に挟む両側に、その軸の直径を有する半円弧状の支持部が設けられている、請求項１または請求項１乃至３のいずれかに記載した椅子。
【発明の詳細な説明】
【技術分野】
【０００１】
本発明は、椅子に関するものである。
【背景技術】
【０００２】
例えば事務用の回転椅子は、脚支柱の上端にベースを固定し、ベースで座を支持する共に、ベースに後傾動可能に連結した背フレームを取り付けた基本構造になっており、背フレームの後傾動をばねで支持している。そして、背もたれが後傾動するとこれに連動して座が後退動又は後傾動若しくは両方を行うシンクロタイプのものが多用されている。
【０００３】
座と背もたれとを連動させるシンクロ機構には何種類かある。例えば、座が背もたれの後傾動に連動して後退しつつ後傾するタイプの場合の一例として、座を受ける中間部材をベースの前部に第１軸で連結すると共に、中間部材と背フレームとを第３軸とで連結し、更に、ベースにおいて第１軸が嵌まる穴を前後方向に長い長穴としたものがある。
【０００４】
背もたれの後傾動に連動して座が後傾動のみするタイプとしては、第１軸はベースに対して回転のみ行うように連結する一方、背フレームをベースに軸で取り付けるにおいて、ベースの取り付け穴を長穴とすることによって背フレームの後傾動と座の後傾動とを連動させたものがある。
【０００５】
特許文献１では、ベース内に配置されたコイルバネの前端を受け且つベースの前側前後移動可能に配置された第１軸を支持するバネ受けには、第１軸が前方から嵌まる前方開放の側面視Ｕ字状の開口溝が設けられ、また、第１軸を上方から抱き込むように固定した円弧状のストッパを開口溝の内面に形成された嵌合溝に嵌合させることにより、ストッパひいては第１軸が軸線方向（左右方向）にずれ移動することができないようにしている。
【先行技術文献】
【特許文献】
【０００６】
【特許文献１】特許第４２５５８６８号公報（図４、図５、図１２参照）
【発明の概要】
【発明が解決しようとする課題】
【０００７】
しかしながら、特許文献１の構成では、バネ受けに形成される側面視Ｕ字状の開口溝の直径は第１軸が嵌まる寸法に設定するので、ストッパのための嵌合溝は前記直径より大きくしなければならず、そのためバネ受けの形状（特に高さ寸法）を大きくしなければならず、このため、バネ受けが大きくなり、これに応じてベースの高さ寸法も大きくする必要あるので、結果的に椅子の形状及び重量が大きくなるという問題があった。また、バネ受けを保持するために、金具を溶接し、左右のブッシュでバネ受けを挟み込む構造であり、加工工数、 部品点数に関してもコストが掛かるという問題があった。
【０００８】
本願発明は、上記課題を解決するためになされたもので、形状及び重量を小さくできるバネ受けブロックひいては椅子を提供することを目的とするものである。
【課題を解決するための手段】
【０００９】
前記目的を達成するため請求項１の発明は、脚で支持されたベースと、前記ベースの上方に配置されると共にばね手段に抗して後傾動又は後退動若しくは両方の動きを行い得る座部と、前記座部の後方に配置した背もたれとを備えた椅子であって、前記ばね手段の少なくとも一端と前記ベースに配置された軸との間に介挿するバネ受けブロックには、前記軸に形成されて、この軸の直径より短い寸法の装着凹所に外嵌して前記軸の軸線方向への位置ずれを防止する位置決め係合部が備えられているものである。
【００１０】
請求項２の発明は、請求項１において、前記座部を第１軸で前記ベースの前部寄り部位に連結すると共に、座部のうち第１軸よりも後方の部位を前記ベース又は他の部材に連結し、前記背もたれは、前記ベースに後傾動自在に第２軸で連結された背フレームに取り付けられており、前記背フレームの前後中途部と前記座部とを第３軸で連結しており、更に、前記第１軸はベースに嵌まっている穴を長穴とすることにより、前記背もたれと前記座部とが連動することを許容し、前記バネ受けブロックは前記ばね手段と前記第１軸との間に介挿するものである。
【００１１】
請求項３の発明では、請求項１または２において、前記軸または前記第１軸は金属製の円パイプであり、前記円パイプの筒壁部に円周方向の一対の切込を半径方向に相対向させ、且つ前記軸または前記第１軸の軸線方向に所定寸法だけ隔て形成し、この一対の切込の間の筒壁部を一対の平行面に形成することにより前記装着凹所が構成されているものである。
【００１２】
請求項４の発明では、請求項１乃至３のいずれかにおいて、前記バネ受けブロックには前記位置決め係合部を前記軸または前記第１軸の軸線方向に挟む両側に、その軸の直径を有する半円弧状の支持部が設けられているものである。
【発明の効果】
【００１３】
本願発明によると、ばね手段の少なくとも一端と前記ベースに配置された軸との間に介挿するバネ受けブロックには、前記軸に形成されて、この軸の直径より短い寸法の装着凹所に外嵌して前記軸の軸線方向への位置ずれを防止する位置決め係合部が備えられているものであるから、バネ受けブロックにおける装着凹所を軸の直径より小さくできるので、結果的にバネ受けブロックの形状を小さくでき、ひいては椅子の軽量化を図ることができる。また、部品点数が少ない等でコストダウンを図ることができる。
【００１４】
本願発明は、請求項２のように背もたれと座とが連動するシンクロタイプの椅子に特に好適である。
【００１５】
請求項３のように構成すると、前記軸または前記第１軸は金属製の円パイプとしたことにより、軽量化が一層確実となり、また、切込を施すので装着凹所の形成作業が容易となる。
【００１６】
請求項４のように構成すると、バネ受けブロックによる前記軸または前記第１軸の支持が一層安定する。
【図面の簡単な説明】
【００１７】
【図１】椅子の全体側面図である。
【図２】椅子の主要部材を表示した分離斜視図である。
【図３】ベースの下面左側から見た椅子の主要部材の斜視図である。
【図４】ベースの下面前方右側から見た椅子の主要部材の斜視図である。
【図５】座部と背フレームとの分離斜視図である。
【図６】座部と背フレームとの平面図である。
【図７】バネ手段及びその前後のバネ受けブロック等の部品を示す分離斜視図である。
【図８】要部の分離斜視図である。
【図９】（Ａ）は第１軸と前バネ受けブロックの取付け状態を示す正面図、（Ｂ）は同じく斜視図である。
【図１０】第１軸と前バネ受けブロックの分離斜視図である。
【発明を実施するための形態】
【００１８】
次に、本発明の実施形態を図面に基づいて説明する。以下の説明で方向を示すため「前後」「手前」「後ろ」「左右」といった文言を使用するが、これらの文言はロッキング椅子（以下、単に椅子と称する）に着座した人の向き基準にしている。「正面視」は着座者と対向した方向から見た状態になる。
【００１９】
(1).椅子の基本構造
先ず、図１〜図５に基づいて椅子の基本構造を説明する。図１は椅子の側面図であり、この図に示すように、椅子は、キャスター付きの脚１と、座部２と、背もたれ３とを備えている。脚１は伸長自在及び回転自在でガスシリンダよりなる脚支柱４を備えており、脚支柱４は、放射状に延びる複数本の枝足を有する脚本体の中心部に嵌着されている。脚支柱４の上端にはベース６（図３〜図６に示す）が固定され、ベース６の上下外側が上ベースカバー体５ａと下ベースカバー体５ｂとで囲われている。
【００２０】
座部２は、座クッション体７と座板（座インナーシェル）８とを備えており、座板８の前端部はベース６の前端部に第１軸９（前部軸）によって後傾動及び後退動自在に取り付けられている。座クッション体７はクロス等の表皮材で覆われている。座板８はＰＰ（ポリプロピレン）等の合成樹脂材を素材とした射出成形品である。
【００２１】
背もたれ３における下部材である背フレーム１０の後上部はバックカバー体１２が取付けられている。バックカバー体１２の前面には背板１５が取付位置を上下に変更可能に設けられ、背板１５の前面に背クッション体１６が取付けられている（図１、図２参照）。座板８、バックカバー体１２及び背板１５はＰＯ等の合成樹脂材を素材とした射出成形品である。座クッション体７及び背クッション体１６にはクロス等の表皮材が張られている。
【００２２】
ベース６の後部寄り部位には背フレーム１０の前端部が第２軸１１によって回動可能に連結されており、更に、背フレーム１０のうち第２軸１１よりも後方の部位と座板８の後部とは第３軸（後部軸）１４によって相対回動可能に連結されている。このため、背もたれ３が後傾動するとこれに連動して座部２も一緒に後傾しつつ後退する。
【００２３】
背フレーム１０はバックカバー体１２の取付け部１０ａの下端から前方にのびる左右両側のアーム部２０を有し、両アーム部２０の前端に第２軸１１を回動可能に外嵌する軸受２１が設けられている。左右両側のアーム部２０の前後中途部を連結するための左右に延びるように一体的に形成されている補強部２２の上端の嵌合溝２２ａ（図６参照）には、金属製の丸パイプまたは丸軸状の第３軸１４が固定されている。このため、背フレーム１０の剛性は高く、ねじれ及び曲げ外力対する変形を非常に小さくできる。
【００２４】
なお、アーム部２０の前後中途部の外面には、オプション部品である肘掛け装置の基部の取付け部２３を有し（図２〜図５参照）、肘掛け装置を外した取付け部２３はキャップ２４（図１参照）を外嵌させて覆う。
【００２５】
図３〜図６に示すように、ベース６は上向きに開口した略筐状の形態になっていて、ベース６のベース基板６ｂに穿設された取付け孔６ｄに脚支柱４の上端が固定されている。ベース６の左右両側板６ａにおける前寄り部位にて第１軸９を介して座板８が前後スライド自在に装着されている。また、この第１軸９は、後に詳述するように、ベース６の内部に配置されたロッキング用弾性支持手段に関連づけされる。
【００２６】
例えば図３〜図５に示すように、ベース６の左右両側板６ａには前後長手の長穴２５が形成されており、この長穴２５に樹脂製のブッシュ２６を装着し、左右両ブッシュ２６に左右長手の第１軸９が前後スライド自在に挿通されている。ブッシュ２６は長穴２５に外側から嵌め込んでおり、ベース６の外面に当たるフランジ２６ａを有している。
【００２７】
座板８の下面の左右両側には、軸受け部２７が一体的に形成されて、ここに第１軸９の両端が嵌まる。図３〜図５、図７に示すように、軸受け部２７は、前後に長く前端が有底の溝レール２８を有する。左右両溝レール２８は相対向する面と後部２８ａが開放されているので、第１軸９の両端部を後部２８ａから前方に挿入できる。
また、左右両軸受け部２７の後部には第３軸１４の両端部を回動可能に支持するための後部軸受２９が一体的に形成されている。
【００２８】
［ロッキング用弾性支持手段］
図５〜図７に明示するように、ベース６の内部には、ロッキング用弾性支持手段の一例として、前後方向に伸縮するロッキングばね用のコイルばね３０（請求項でいうばね手段に相当）を配置している。他方、ベース６の後部には、左右両側板に連結された仕切り部３２の前面に装着された後部ばね受け支持装置３１が設けられている。
【００２９】
後部ばね受け支持装置３１は仕切り部３２の前面にて左右方向に摺動可能で左方向に行くに従って前方向に高い傾斜面を有する第１傾斜ブロック３３と、第１傾斜ブロック３３の傾斜面に摺接する第２傾斜ブロック３４とを備える。軸線周りに回転のみ可能に支持され、右側板６ａから横向きに突出する操作レバー３５は第１傾斜ブロック３４内の雌ねじに螺合され、操作レバー３５の右または左への回転に応じて第１傾斜ブロック３４が椅子の左または右方向に移動可能となっている。第２傾斜ブロック３４の前面にはコイルばね３０の後端を位置ずれ不能に受ける後部ばね受け部３４ａが形成され、後部ばね受け支持片である第２傾斜ブロック３４にてコイルばね３０の後部が後ろから支持されている。なお、コイルばね３０の付勢力により第２傾斜ブロック３４の片面は右側板６ａの内面に常時押圧された状態である。従って、上記の操作レバー３５の右または左への回転に応じて第２傾斜ブロック３４は椅子の前方向または後方へ移動し、コイルばね３０の伸縮量を調節できる。
【００３０】
また、コイルばね３０の前端は前部バネ受けブロック３６を介してベース６の前壁方向に第１軸９を付勢する。前部バネ受けブロック３６の後面には、コイルばね３０の前端の位置ずれを防止するための円筒状などの前部ばね受け部３７が形成される。
【００３１】
前部バネ受けブロック３６が第１軸９を左右方向に位置ずれしないように支持する構成として、第１軸９の軸線方向への位置ずれを防止する位置決め係合部３９は、前部バネ受けブロック３６の前面部に形成されるものであり、この位置決め係合部３９は、第１軸９の軸線方向の中途部に当該第１軸９の直径より短い寸法の装着凹所４０に外嵌するように構成されているものである。
【００３２】
第１実施例では、図８〜図１０に示すように、第１軸９は金属製の円パイプであり、円パイプの筒壁部（外周部）に円周方向の一対の切込４１を半径方向に相対向させ、且つ第１軸９の軸線方向に所定寸法Ｌ１だけ隔て形成する。従って、合計４つの切込４１が形成される。各切込４１の深さ寸法Ｈ１は第１軸９の直径Ｄの４分の１程度である。この一対の切込４１の間の筒壁部を上下からプレス（押圧）して上下一対の平行面４２に形成することにより装着凹所４０が構成されているものである。従って、上下一対の平行面４２間の寸法Ｈ２は値（Ｄ−２×Ｈ１）に等しいように設定される。
【００３３】
他方、バネ受けブロック３６に設けられる位置決め係合部３９は、前方に開放された側面視Ｕ字状の溝として形成され、上記一対の平行面４２（装着凹所４０）を上下に挟むように構成されている。
【００３４】
このように構成し、第１軸９の装着凹所４０にバネ受けブロック３６の位置決め係合部３９を外嵌させると、バネ受けブロック３６に対して第１軸９は軸線方向に位置ずれすることなく装着される。さらに、ベース６のベース基板６ｂに上向きに切り起こしされた左右一対の規制片１７（図６参照）がバネ受けブロック３６の左右側面に当接しているので、当該バネ受けブロック３６も左右に移動不能となり、これによって、ベース６に対して第１軸９は軸線方向に位置ずれすることなく装着されることになる。
【００３５】
また、図示実施例では、装着凹所４０及びその左右両側の第１軸９の外周部位を抱持すべく、バネ受けブロック３６には、位置決め係合部３９を第１軸９の軸線方向に挟んだ左右両側に、その軸の直径Ｄを有する半円弧溝状（前方に開放された側面視Ｕ字状）の支持部４３が設けられている。なお、図示実施例では、バネ受けブロック３６を軽量化するため、位置決め係合部３９及び左右両支持部４３は櫛歯状に形成されている。
【００３６】
以上の構成において、ロッキング状態では、背もたれ４が沈み込みながら後傾する。これと同時に座３は全体として後傾しながら後向きに移動する。ロッキング状態から身体を起こすと、背もたれ４及び座３はコイルばね３０によって元の状態に戻る。これらの場合、バネ受けブロック３６に対して、第１軸９は左右に位置ずれすることがない。
【００３７】
他の実施例  
(1).バネ受けブロック３６の左右寸法を短くして、位置決め係合部３９のみを形成しても良い。左右両側の支持部４３を省略できるから、バネ受けブロック３６の小型化、軽量化に寄与できる。
(2).第１軸９は中実の丸棒でも良い。その場合、装着凹所４０は切削により形成する。
(3).第１軸９をパイプで形成すれば、これによっても、軽量化に寄与できる。
(4).第１軸９を金属製のパイプとした場合、平行な一対の平行面４２を有する装着凹所４０を形成するため、切込４１を施すことなく、金型でプレスによって形成しても良い。
【００３８】
本願発明は上記の実施形態の他にも様々に具体化できる。例えば本願発明はロッキングに際して座が後退（及び／又は後傾）するシンクロタイプの椅子にも適用できるし、背もたれのみが後傾する椅子にも適用できる。
【符号の説明】
【００３９】
２座部                                                                          ３背もたれ
４脚支柱
６ベース
８座板
９第１軸
１１第２軸
１４第３軸
３０ロッキング用ばね手段の一例としてのコイルばね
３６前部バネ受けブロック
３９位置決め係合部
４０装着凹所
４１切込
４２平行面
４３支持部
【図１】
2013106699.tif 000003
【図２】
2013106699.tif 000004
【図３】
2013106699.tif 000005
【図４】
2013106699.tif 000006
【図５】
2013106699.tif 000007
【図６】
2013106699.tif 000008
【図７】
2013106699.tif 000009
【図８】
2013106699.tif 000010
【図９】
2013106699.tif 000011
【図１０】
2013106699.tif 000012